(57)【要約】【課題】デイジーチェーン接続されたネットワークの負荷を低減する。【解決手段】ネットワークシステムは、管理装置１と処理装置２−１〜２−４とを、通信線７により直列に接続して構成される。管理装置１は最も前段である。処理装置２−１〜２−４の制御部２４は、自装置の内部の動作を制御する。処理装置２−１〜２−４のネットワーク部２０は、１つ前段の装置と通信線７を介してデータを送受信する第１ポート２１、１つ後段の装置と通信線７を介してデータを送受信する第２ポート２２、及び、制御部２４とデータを送受信する第３ポート２３を有し、第３ポート２３が受信したデータを第１ポート２１から転送するとともに第２ポート２２からの転送を規制し、第２ポート２２が受信したデータを第１ポート２１及び第３ポート２３から転送する。【選択図】図１
2015023532.tif 000002
【特許請求の範囲】
【請求項１】
管理装置と、前記管理装置と通信する複数の処理装置とを、前記管理装置を最も前段として通信線により直列に接続したネットワークシステムであって、
前記処理装置は、
前記処理装置の内部の動作を制御する制御部と、
１つ前段の前記管理装置または１つ前段の他の前記処理装置と前記通信線を介してデータを送受信する第１ポート、１つ後段の他の前記処理装置と前記通信線を介してデータを送受信する第２ポート、及び、前記制御部とデータを送受信する第３ポートを有し、前記第３ポートが受信したデータを前記第１ポートから転送するとともに前記第２ポートからの転送を規制し、前記第２ポートが受信したデータを前記第１ポート及び前記第３ポートから転送するネットワーク部とを備える、
ことを特徴とするネットワークシステム。
【請求項２】
前記ネットワーク部は、レイヤ２スイッチである、
ことを特徴とする請求項１に記載のネットワークシステム。
【請求項３】
前記ネットワーク部は、前記第３ポートに代えてローカルバスを有する、
ことを特徴とする請求項１または請求項２に記載のネットワークシステム。
【請求項４】
前記ネットワークシステムは、マルチディスプレイの表示システムであり、
前記処理装置は、前記表示システムを構成するディスプレイ装置であり、
前記管理装置は、前記表示システムを構成する複数の前記ディスプレイ装置を管理する、
ことを特徴とする請求項１から請求項３のいずれか１項に記載のネットワークシステム。
【請求項５】
管理装置と、前記管理装置と通信する複数の処理装置とを、前記管理装置を最も前段として通信線により直列に接続したネットワークシステムにおける前記処理装置であって、
前記処理装置の内部の動作を制御する制御部と、
１つ前段の前記管理装置または１つ前段の他の前記処理装置と前記通信線を介してデータを送受信する第１ポート、１つ後段の他の前記処理装置と前記通信線を介してデータを送受信する第２ポート、及び、前記制御部とデータを送受信する第３ポートを有し、前記第３ポートが受信したデータを前記第１ポートから転送するとともに前記第２ポートからの転送を規制し、前記第２ポートが受信したデータを前記第１ポート及び前記第３ポートから転送するネットワーク部と、
を備えることを特徴とする処理装置。
【請求項６】
前記ネットワークシステムは、マルチディスプレイの表示システムであり、
前記処理装置は、前記表示システムを構成するディスプレイ装置であり、
前記管理装置は、前記表示システムを構成する複数の前記ディスプレイ装置を管理する、
ことを特徴とする請求項５に記載の処理装置。
【請求項７】
管理装置と、前記管理装置と通信する複数の処理装置とを、前記管理装置を最も前段として通信線により直列に接続したネットワークシステムが実行する通信方法であって、
前記処理装置は、
前記処理装置の内部の動作を制御する制御部と、
１つ前段の前記管理装置または１つ前段の他の前記処理装置と前記通信線を介してデータを送受信する第１ポート、１つ後段の他の前記処理装置と前記通信線を介してデータを送受信する第２ポート、及び、前記制御部とデータを送受信する第３ポートを有するネットワーク部とを備え、
前記ネットワーク部が、
前記第３ポートが受信したデータを前記第１ポートから転送するとともに前記第２ポートからの転送を規制する転送制御ステップと、
前記第２ポートが受信したデータを前記第１ポート及び前記第３ポートから転送する転送ステップと、
を有することを特徴とする通信方法。
【請求項８】
管理装置と、前記管理装置と通信する複数の処理装置とを、前記管理装置を最も前段として通信線により直列に接続したネットワークシステムにおける前記処理装置が実行する通信方法であって、
前記処理装置は、
前記処理装置の内部の動作を制御する制御部と、
１つ前段の前記管理装置または１つ前段の他の前記処理装置と前記通信線を介してデータを送受信する第１ポート、１つ後段の他の前記処理装置と前記通信線を介してデータを送受信する第２ポート、及び、前記制御部とデータを送受信する第３ポートを有するネットワーク部とを備え、
前記ネットワーク部が、
前記第３ポートが受信したデータを前記第１ポートから転送するとともに前記第２ポートからの転送を規制する転送制御ステップと、
前記第２ポートが受信したデータを前記第１ポート及び前記第３ポートから転送する転送ステップと、
を有することを特徴とする通信方法。
【請求項９】
前記ネットワークシステムは、マルチディスプレイの表示システムであり、
前記処理装置は、前記表示システムを構成するディスプレイ装置であり、
前記管理装置は、前記表示システムを構成する複数の前記ディスプレイ装置を管理する、
ことを特徴とする請求項７または請求項８に記載の通信方法。
【発明の詳細な説明】
【技術分野】
【０００１】
本発明は、ネットワークシステム、処理装置、及び通信方法に関する。
【背景技術】
【０００２】
マルチ構成されたディスプレイ装置をネットワーク接続する場合、ネットワークハブを用いたスター接続が一般的である。しかし、近年、接続性の容易さから、ディスプレイ装置間をデイジーチェーン接続する提案が出てきた。デイジーチェーンとは、通信を行う複数の装置間を、通信線により直列に接続する方法である。デイジーチェーン接続の場合、隣接するディスプレイ装置間をネットワークケーブルで接続すればよいため、ディスプレイ装置の数が多い場合は、スター接続よりも接続が容易である。
【０００３】
一方、特許文献１、２には、デイジーチェーン接続されたネットワークにおいて、パケットの転送を制御することが記載されている。また、特許文献３には、デイジーチェーン方式とノード分岐方式が混在した接続方式によりモニタ等の機器が接続され、親ノードからバス使用権を得たときにデータ転送を行うことが記載されている。
【先行技術文献】
【特許文献】
【０００４】
【特許文献１】特表２０１０−５２５６４４号公報
【特許文献２】特表２００９−５１６４３２号公報
【特許文献３】特開２００２−１６７５０号公報
【発明の概要】
【発明が解決しようとする課題】
【０００５】
マルチ構成されたディスプレイ装置（処理装置）からなる表示システム（ネットワークシステム）では、デイジーチェーン接続の最も前段に管理サーバが接続される。この表示システムのデイジーチェーン接続にレイヤ２スイッチを用いた場合、ディスプレイ装置からみて前段側（管理サーバ側）と後段側との両方向にデータのパケットが送出される。このことは、デイジーチェーン接続されたネットワークの混雑を助長させ、パフォーマンスの低下を招く原因となる。しかし、特許文献１〜３は、このような問題を解決することについては記載されていない。
【０００６】
本発明は、このような事情を考慮してなされたものであり、デイジーチェーン接続されたネットワークの負荷を低減するネットワークシステム、処理装置、及び通信方法を提供する。
【課題を解決するための手段】
【０００７】
［１］  本発明の一態様は、管理装置と、前記管理装置と通信する複数の処理装置とを、前記管理装置を最も前段として通信線により直列に接続したネットワークシステムであって、前記処理装置は、前記処理装置の内部の動作を制御する制御部と、１つ前段の前記管理装置または１つ前段の他の前記処理装置と前記通信線を介してデータを送受信する第１ポート、１つ後段の他の前記処理装置と前記通信線を介してデータを送受信する第２ポート、及び、前記制御部とデータを送受信する第３ポートを有し、前記第３ポートが受信したデータを前記第１ポートから転送するとともに前記第２ポートからの転送を規制し、前記第２ポートが受信したデータを前記第１ポート及び前記第３ポートから転送するネットワーク部とを備える、ことを特徴とするネットワークシステムである。
【０００８】
［２］  また、本発明の一態様は、管理装置と、前記管理装置と通信する複数の処理装置とを、前記管理装置を最も前段として通信線により直列に接続したネットワークシステムにおける前記処理装置であって、前記処理装置の内部の動作を制御する制御部と、１つ前段の前記管理装置または１つ前段の他の前記処理装置と前記通信線を介してデータを送受信する第１ポート、１つ後段の他の前記処理装置と前記通信線を介してデータを送受信する第２ポート、及び、前記制御部とデータを送受信する第３ポートを有し、前記第３ポートが受信したデータを前記第１ポートから転送するとともに前記第２ポートからの転送を規制し、前記第２ポートが受信したデータを前記第１ポート及び前記第３ポートから転送するネットワーク部と、を備えることを特徴とする処理装置である。
【０００９】
［３］  また、本発明の一態様は、管理装置と、前記管理装置と通信する複数の処理装置とを、前記管理装置を最も前段として通信線により直列に接続したネットワークシステムが実行する通信方法であって、前記処理装置は、前記処理装置の内部の動作を制御する制御部と、１つ前段の前記管理装置または１つ前段の他の前記処理装置と前記通信線を介してデータを送受信する第１ポート、１つ後段の他の前記処理装置と前記通信線を介してデータを送受信する第２ポート、及び、前記制御部とデータを送受信する第３ポートを有するネットワーク部とを備え、前記ネットワーク部が、前記第３ポートが受信したデータを前記第１ポートから転送するとともに前記第２ポートからの転送を規制する転送制御ステップと、前記第２ポートが受信したデータを前記第１ポート及び前記第３ポートから転送する転送ステップと、を有することを特徴とする通信方法である。
【００１０】
［４］  また、本発明の一態様は、管理装置と、前記管理装置と通信する複数の処理装置とを、前記管理装置を最も前段として通信線により直列に接続したネットワークシステムにおける前記処理装置が実行する通信方法であって、前記処理装置は、前記処理装置の内部の動作を制御する制御部と、１つ前段の前記管理装置または１つ前段の他の前記処理装置と前記通信線を介してデータを送受信する第１ポート、１つ後段の他の前記処理装置と前記通信線を介してデータを送受信する第２ポート、及び、前記制御部とデータを送受信する第３ポートを有するネットワーク部とを備え、前記ネットワーク部が、前記第３ポートが受信したデータを前記第１ポートから転送するとともに前記第２ポートからの転送を規制する転送制御ステップと、前記第２ポートが受信したデータを前記第１ポート及び前記第３ポートから転送する転送ステップと、を有することを特徴とする通信方法である。
【発明の効果】
【００１１】
本発明によれば、デイジーチェーン接続されたネットワークの負荷を低減することができる。
【図面の簡単な説明】
【００１２】
【図１】本発明の一実施形態によるネットワークシステムの接続構成の例を示す図である。
【図２】本実施形態のネットワークシステムを適用した表示システムの接続構成の例を示す図である。
【図３】同実施形態によるディスプレイ装置の通信方向を示す図である。
【図４】同実施形態による表示システムにおけるパケットの流れを示す図である。
【図５】従来技術による表示システムの接続構成の例を示す図である。
【図６】従来技術によるディスプレイ装置の通信方向を示す図である。
【図７】従来技術による表示システムにおけるパケットの流れを示す図である。
【発明を実施するための形態】
【００１３】
以下、本発明の実施形態を、図面を参照して説明する。
【００１４】
まず従来の表示システムについて説明する。
図５は、従来の表示システムの接続構成の例を示す図である。同図に示す表示システムは、管理サーバ８と複数のディスプレイ装置９とを、イーサー（登録商標）によりデイジーチェーン接続して構成される。管理サーバ８は、最も前段に配置され、複数のディスプレイ装置９は、管理サーバ８の後段に配置される。同図に示す表示システムは、４台のディスプレイ装置９を備えており、それぞれをディスプレイ装置９−１、９−２、９−３、９−４と記載する。各ディスプレイ装置９は、ディスプレイ装置９を管理する管理サーバ８とのみ通信し、ディスプレイ装置９間での通信は行わない。
【００１５】
ディスプレイ装置９は、ネットワーク部９０と制御部９４を備えて構成される。ネットワーク部９０は、ポート間のパケット転送方向を制御するレイヤ２スイッチである。ネットワーク部９０は、前段との接続用の第１ポート９１、後段との接続用の第２ポート９２、及び、制御部９４との接続用の第３ポート９３を有する。第１ポート９１は、１つ前段の管理サーバ８または他のディスプレイ装置９と、ネットワークケーブルなどの通信線７を介してパケットを送受信する。第２ポート９２は、１つ後段の他のディスプレイ装置９と通信線７を介してパケットを送受信する。第３ポート９３は、自装置の制御部９４とパケットを送受信する。制御部９４は、ＣＰＵ（ｃｅｎｔｒａｌ ｐｒｏｃｅｓｓｉｎｇ ｕｎｉｔ）であり、ディスプレイ装置９の内部全体の制御を司る。制御部９４は、ポート９５を有し、ポート９５は、ネットワーク部９０とパケットを送受信する。
なお、最も後段のディスプレイ装置９−４は、第２ポート９２を備えなくともよい。
【００１６】
図６は、ディスプレイ装置９におけるパケットの流れを示す図である。ディスプレイ装置９のネットワーク部９０は、第１ポート９１が１つ前段の管理サーバ８または他のディスプレイ装置９から受信したパケットを、第２ポート９２及び第３ポート９３から転送し、第２ポート９２が１つ後段の他のディスプレイ装置９から受信したパケットを、第１ポート９１及び第３ポート９３から転送する。また、ネットワーク部９０は、第３ポート９３が制御部９４から受信したパケットを、第１ポート９１及び第２ポート９２から転送する。
【００１７】
図７は、図５に示す従来の表示システムにおけるパケットの流れを示す図である。同図では、ディスプレイ装置９−１がパケットを送出した場合の例を示している。
ディスプレイ装置９−１の制御部９４がポート９５からパケットを出力すると、ネットワーク部９０は、制御部９４が送出したパケットを第３ポート９３により受信し、第１ポート９１及び第２ポート９２から転送する。ディスプレイ装置９−２のネットワーク部９０は、ディスプレイ装置９−１が送出したパケットを第１ポート９１により受信し、第２ポート９２及び第３ポート９３から転送する。ディスプレイ装置９−３のネットワーク部９０は、ディスプレイ装置９−１が送出したパケットを第１ポート９１により前段から受信し、第２ポート９２及び第３ポート９３から転送する。
【００１８】
このように、ディスプレイ装置９−１から送信されたパケットは、通信先である前段の管理サーバ８に送出されるだけでなく、後段のディスプレイ装置９−２〜９−４へも次々と転送されてしまう。ディスプレイ装置９−２、９−３からパケットが送出された場合も同様に、無駄なパケットが後段のディスプレイ装置９に転送される。これにより、ネットワークの負荷が増加してしまう。この状況は、接続されるディスプレイ装置９の数が増大するに従って顕著となる。
【００１９】
図１は、本発明の一実施形態によるネットワークシステムの接続構成の例を示す図である。同図に示すネットワークシステムは、管理装置１を最も前段とし、管理装置１と複数の処理装置２とを、イーサーによりデイジーチェーン接続して構成される。つまり、管理装置１と複数の処理装置２は、ネットワークケーブルなどの通信線７により直列に接続される。同図に示すネットワークシステムは、４台の処理装置２を備えており、それぞれを処理装置２−１、２−２、２−３、２−４と記載する。各処理装置２は、処理装置２を管理する管理装置１とのみ通信し、処理装置２間ではデータ転送を行うが、通信は行わない。ここで通信とは、送信元の装置が宛先の装置へ伝える情報を設定したデータを送信し、送信されたデータを宛先の装置が受信することをいう。
【００２０】
処理装置２は、ネットワーク部２０と制御部２４を備えて構成される。ネットワーク部２０は、ポート間のデータ転送方向を制御する。ネットワーク部２０は、例えば、レイヤ２スイッチで実現される。ネットワーク部２０は、前段との接続用の第１ポート２１、後段との接続用の第２ポート２２、及び、制御部２４との接続用の第３ポート２３を有する。第１ポート２１は、１つ前段の管理装置１または１つ前段の他の処理装置２と、通信線７を介してデータを送受信する。第２ポート２２は、１つ後段の他の処理装置２と通信線７を介してデータを送受信する。第３ポート２３は、自装置の制御部２４とデータを送受信する。制御部２４は、ＣＰＵであり、処理装置２の内部全体の動作を制御する。制御部２４は、ポート２５を有し、ポート２５は、ネットワーク部２０とデータを送受信する。
【００２１】
なお、最も後段の処理装置２−４は、第２ポート２２を備えなくともよい。また、ネットワーク部２０と制御部２４を、ローカルバスで接続する構成でもよい。
【００２２】
図１に示す処理装置２のネットワーク部２０は、第３ポート２３が受信したデータを第１ポート２１から転送するとともに、第２ポート２２からの転送を規制する。また、ネットワーク部２０は、第２ポート２２が受信したデータを第１ポート２１及び第３ポート２３から転送する。そのため、処理装置２から出力されたデータは、前段にのみ転送され、通信先である管理装置１に到着し、後段には転送されない。よって、無駄なデータの転送を抑え、ネットワークの負荷を低減することができる。
【００２３】
次に上述した図１に示すネットワークシステムを、表示システムに適用した場合の実施形態について説明する。
【００２４】
図２は、本発明の一実施形態による表示システムの接続構成を示す図である。同図に示す表示システムは、管理サーバ４と複数のディスプレイ装置５とを、イーサー（登録商標）によりデイジーチェーン接続して構成される。管理サーバ８は、図１に示すネットワークシステムにおける管理装置１であり、ディスプレイ装置５を管理する。ディスプレイ装置５は、図１に示すネットワークシステムにおける処理装置２であり、自装置が備えるモニタ（図示せず。）に映像データを表示する処理を行う。
【００２５】
管理サーバ４は、最も前段に配置され、複数のディスプレイ装置５は、管理サーバ４の後段に配置される。同図に示す表示システムは、４台のディスプレイ装置５を備えており、それぞれをディスプレイ装置５−１、５−２、５−３、５−４と記載する。ディスプレイ装置５は、他のディスプレイ装置５を制御しないため、各ディスプレイ装置５は、管理サーバ４とのみ通信し、ディスプレイ装置５間ではパケット転送を行うが、通信は行わない。管理サーバ４は、ディスプレイ装置５を管理あるいは制御するためのデータのパケットだけではなく、ディスプレイ装置５に表示させる映像データの信号も出力し得る。なお、管理サーバ４以外の装置から映像データを出力してもよい。表示システムの例として、ディスプレイ装置５を縦及び横に複数配置し、各ディスプレイ装置５がモニタに出力する映像データの表示画面を並べて大画面表示を行うシステムや、複数並べて配置したディスプレイ装置５のモニタに同時に映像データの画像を表示させるシステムなど様々あるが、ディスプレイ装置５がマルチ構成される表示システムであればこれらに限定されない。
【００２６】
ディスプレイ装置５は、ネットワーク部５０と制御部５４を備えて構成される。ネットワーク部５０は、ポート間のパケット転送方向を制御するレイヤ２スイッチである。ネットワーク部５０は、前段との接続用の第１ポート５１、後段との接続用の第２ポート５２、及び、制御部５４との接続用の第３ポート５３を有する。第１ポート５１、第２ポート５２、及び、第３ポート５３は、双方向に通信可能である。第１ポート５１は、１つ前段の管理サーバ４または１つ前段の他のディスプレイ装置５と、通信線７を介してデータのパケットを送受信する。第２ポート５２は、１つ後段の他のディスプレイ装置５と通信線７を介してパケットを送受信する。第３ポート５３は、自装置の制御部５４とパケットを送受信する。制御部５４は、ＣＰＵであり、ディスプレイ装置５の内部全体の制御を司る。制御部５４は、ポート５５を有し、ポート５５は、ネットワーク部５０とパケットを送受信する。
【００２７】
なお、最も後段のディスプレイ装置５−４は、第２ポート５２を備えなくともよい。また、ネットワーク部５０と制御部５４を、ローカルバスで接続する構成でもよい。
【００２８】
図３は、ディスプレイ装置５におけるパケットの流れを示す図である。ディスプレイ装置５のネットワーク部５０は、第１ポート５１が１つ前段の管理サーバ４または１つ前段の他のディスプレイ装置５から受信したパケットを、第２ポート５２及び第３ポート５３から転送し、第２ポート５２が１つ後段の他のディスプレイ装置５から受信したパケットを、第１ポート５１及び第３ポート５３から転送する。また、ネットワーク部５０は、第３ポート５３が制御部５４から受信したパケットを、第１ポート５１から転送し、第２ポート５２からの転送を規制する。なお、ディスプレイ装置５の制御部５４は、第３ポート５３からポート５５に転送されたパケットに、自装置とは異なる宛先が設定されている場合、そのパケットを破棄する。
【００２９】
図４は、図２に示す表示システムにおけるパケットの流れを示す図である。同図では、ディスプレイ装置５−１、または、ディスプレイ装置５−４がパケットを送出した場合の例を示している。
【００３０】
ディスプレイ装置５−１の制御部５４がポート５５からパケットを出力すると、ネットワーク部５０は、制御部５４が送出したパケットを第３ポート５３により受信する。ネットワーク部５０は、第３ポート５３により受信したパケットを、第１ポート５１から前段に転送し、第２ポート５２からの転送は規制する。これにより、ディスプレイ装置５−１が送出したパケットは前段の管理サーバ４に転送されるが、後段のディスプレイ装置５−２〜５−４には転送されない。
【００３１】
一方、ディスプレイ装置５−４の制御部５４がパケットを出力すると、ネットワーク部５０は、制御部５４が送出したパケットを第３ポート５３により受信し、第１ポート５１から前段に転送する。ディスプレイ装置５−３のネットワーク部５０は、ディスプレイ装置５−４が送出したパケットを第２ポート５２により受信し、第１ポート５１及び第３ポート５３から転送する。ディスプレイ装置５−２のネットワーク部５０は、ディスプレイ装置５−４が送出したパケットを第２ポート５２により後段から受信し、第１ポート５１及び第３ポート５３から転送する。そして、ディスプレイ装置５−１のネットワーク部５０は、ディスプレイ装置５−４が送出したパケットを第２ポート５２により後段から受信し、第１ポート５１及び第３ポート５３から転送する。これにより、管理サーバ４は、ディスプレイ装置５−４が送出したパケットを受信する。
このように、ネットワーク部５０が、第２ポート５２により受信したパケットを第１ポート５１及び第３ポート５３から転送することによって、ディスプレイ装置５−４が送出したパケットは前段の管理サーバ４に転送される。
【００３２】
また、管理サーバ４がパケットを出力すると、ディスプレイ装置５−１のネットワーク部５０は、管理サーバ４が送出したパケットを第１ポート５１により受信し、第２ポート５２及び第３ポート５３から転送する。ディスプレイ装置５−２のネットワーク部５０は、管理サーバ４が送出したパケットを第１ポート５１により前段から受信し、第２ポート５２及び第３ポート５３から転送する。そして、ディスプレイ装置５−３のネットワーク部５０は、管理サーバ４が送出したパケットを第１ポート５１により前段から受信し、第２ポート５２及び第３ポート５３から転送する。ディスプレイ装置５−４のネットワーク部５０は、管理サーバ４が送出したパケットを第１ポート５１により前段から受信し、第３ポート５３から転送する。
このように、ネットワーク部５０が、第１ポート５１により受信したパケットを第２ポート５２及び第３ポート５３から転送することによって、管理サーバ４が送出したパケットは全てのディスプレイ装置５に転送される。
【００３３】
ネットワーク部５０が上記のように転送方向を制御することにより、表示システムにおける管理サーバ４と各ディスプレイ装置５間の接続性を維持しながら、無駄なパケットの送出を効果的に抑制し、ネットワークの負荷を低減することができる。
【００３４】
以上説明したように、本実施形態では、ネットワーク部（レイヤ２スイッチ）においてパケット転送方向を制御することにより、不要なパケットの送出を抑制し、ネットワークを流れるデータ量（パケット数）を低減する。これにより、ネットワークの混雑が低減される。また、ネットワーク部が、パケットの入力ポートに応じてパケット転送方向を制御することにより、ＭＡＣ（Ｍｅｄｉｕｍ Ａｃｃｅｓｓ Ｃｏｎｔｒｏｌ）アドレスに基づいてアドレステーブルを参照し、転送を行う従来技術の場合と比較して、ネットワーク部における転送遅延も低減される。従って、従来よりも管理サーバとディスプレイ装置の間の通信にかかる遅延が低減されるため、デイジーチェーン接続数を拡大することが可能となる。つまり、ディスプレイ装置の実質の接続台数を増加させることができる。
加えて、管理サーバとディスプレイ装置の間の通信にかかる遅延が低減されることによって、ディスプレイ装置におけるレスポンスが改善され、利用シーンが拡大する。例えば、レスポンスが重要とされるリモコン制御（ＵＩ）などにも応用できる。
【００３５】
また、上記では、処理装置２がディスプレイ装置である場合について説明したが、プロジェクタ装置、あるいはコンピュータ装置を処理装置２としてデイジーチェーン接続する場合にも適用するこができる。
【００３６】
以上、本発明の実施の形態について説明したが、ネットワーク部２０、及びネットワーク部５０は、専用のハードウエアにより実現してもよく、上述した処理を実現するためのプログラムをメモリからロードして実行することによりその機能を実現させるようにしてもよい。
【００３７】
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３８】
１…管理装置
２−１、２−２、２−３、２−４…処理装置
４、８…管理サーバ
５、５−１、５−２、５−３、５−４、９、９−１、９−２、９−３、９−４…ディスプレイ装置
７…通信線
２０、５０、９０…ネットワーク部
２１、５１、９１…第１ポート
２２、５２、９２…第２ポート
２３、５３、９３…第３ポート
２４、５４、９４…制御部
２５、５５、９５…ポート
【図１】
2015023532.tif 000003
【図２】
2015023532.tif 000004
【図３】
2015023532.tif 000005
【図４】
2015023532.tif 000006
【図５】
2015023532.tif 000007
【図６】
2015023532.tif 000008
【図７】
2015023532.tif 000009